(57)【特許請求の範囲】
【請求項１】
車体に固定したボックス本体にその上面開口部を開閉する蓋を設けたものにおいて、前記蓋の裏面に、前記ボックス本体の内周部に沿ってボックス本体内側に膨出する枠体を設け、その枠体に前記ボックス本体に収容した収容物を押さえる可撓材料製のネットを張り、
前記蓋は周囲部に垂下壁を有して下面を開放した容器状をなすと共に、前記枠体は、前記蓋の対向辺部に取り付けられる一対の取付辺部と、この取付辺部の各端部間を連結するように一体に設けられた一対の弧状膨出辺部とからなり、その両弧状膨出辺部は下側に凸となって前記ボックス本体内に膨出する押さえ位置と、上側に凸となって前記蓋内に膨出する開放位置との間で弾性的にトグル変位可能であることを特徴とする車両用コンソールボックス。
【発明の詳細な説明】
【０００１】
【産業上の利用分野】
本発明は収容物が内部で移動することを防止できるようにした車両用コンソールボックスに関する。
【０００２】
【従来の技術】
一般的に、車両用コンソールボックスは運転席と助手席との間に設置されており、上面に開口部を有するボックス本体と、その開口部を開閉する蓋とから構成される。蓋は、ヒンジ部を介してボックス本体に連結されており、上下に回動操作可能であり、これによりボックス本体の開口部が開閉される。
【０００３】
【発明が解決しようとする課題】
ところが、従来の構成では車両の振動や加速によりコンソールボックス内の収容物が内部で自由に移動してしまうから、収容物同士の衝突或いは内壁との衝突により異音・騒音を発生するばかりか収容物が損傷してしまうことがあった。
【０００４】
これに対処するには、ボックス本体内の収容物をネットで押さえることが考えられる。具体的には、収容物の上方からネットをかぶせ、そのネットの両端部をボックス本体の底部両端部に固定するのでる。しかし、これでは収容物の出し入れの度に、ネットの取り外し・取り付け作業を行わなければならないから、大変面倒であり実用的ではない。
【０００５】
本発明は上記事情に鑑みてなされたもので、その目的は、ボックス本体内で収容物が動いてしまうことを簡単に防止できる車両用コンソールボックスを提供することになる。
【０００６】
【課題を解決するための手段】
上記目的を達成するために、本発明の車両用コンソールボックスは、車体に固定したボックス本体にその上面開口部を開閉する蓋を設けたものにおいて、蓋の裏面に、ボックス本体の内周部に沿ってボックス本体内側に膨出する枠体を設け、その枠体にボックス本体に収容した収容物を押さえる可撓材料製のネットを張り、上記蓋は周囲部に垂下壁を有して下面を開放した容器状をなすと共に、枠体は、蓋の対向辺部に取り付けられる一対の取付辺部と、この取付辺部の各端部間を連結するように一体に設けられた一対の弧状膨出辺部とからなり、その両弧状膨出辺部は下側に凸となってボックス本体内に膨出する押さえ位置と、上側に凸となって蓋内に膨出する開放位置との間で弾性的にトグル変位可能であることを特徴とする。
【０００８】
【作用】
請求項１の発明によれば、蓋の裏面にはボックス本体内側に膨出するように、可撓材料製のネットが張られているので、蓋を閉めるだけで、収容物がネットによって自然に押さえ付けられることになる。また、収容物を取り出すときには、蓋を開けるだけでネットが自然に取り除かれて取り出し可能となる。
【０００９】
そして、必要なときに弧状膨出辺部を押さえ位置に変位させれば、ネットはボックス本体内側に膨出するから、上記同様に蓋を閉めるだけで自然に収容物は押さえられる。また、不要なときには弧状膨出辺部を開放位置にトグル変位させておけば蓋とネットとの間に薄い物を挟むこともできる。
【００１０】
【発明の効果】
上述したように、請求項１の発明によれば、蓋を閉めるだけで収容物が押さえられ、蓋を開けるだけで収容物を開放できるから、収容物の出し入れに煩わされることなく簡単に収容物のがた付きを防止できるという効果を奏する。
【００１１】
そして、不要なときには、弧状膨出辺部を開放位置にトグル変位すると蓋とネットとの間に薄い物を挟むことができるから、実用価値が大となる。
【００１２】
【実施例】
以下、本発明の車両用コンソールボックスを具体化した一実施例について図１乃至図４を参照して説明する。
本実施例の車両用コンソールボックスは、運転席と助手席との間に載置されるものであり、図１に示すように、直方体をなし上面に開口部１ａを有するボックス本体１と、その開口部１ａを開閉する蓋２とから構成される。
【００１３】
蓋２は、ボックス本体１の開口後縁部に設けられたヒンジ部９を介してボックス本体１に連結されており、上下に回動操作させることにより開口部１ａが開閉される。この蓋２は、周囲部に垂下壁を有して下面を開放する容器状をなし、その周囲部の形状はボックス本体１の外形とほぼ同じ大きさに形成されている。また、この蓋２の左右両内壁面には、下縁より僅かに上部であって前端部から所定の距離を隔てた位置から後端部に掛けて、取付フランジ部３が対向して形成されており、ここに図２に示すゴム製のネット４を備えた枠体５が嵌め込まれるようになっている。
【００１４】
枠体５は合成樹脂製であり、その左右方向の長さ寸法は蓋２の左右方向の内側寸法とほぼ同じであるが、前後方向の長さ寸法は蓋２の前後方向の内側寸法より僅かに短くなっている。この枠体５の左右両辺部が取付辺部６であり、この各取付辺部６には前後方向に延びかつ外方に開口する溝部６ａが設けられており、この溝部６ａには上記取付フランジ部３がそれぞれ挿入されるようになっている。さらに、この各取付辺部６の前後部には、図３に示すように、それぞれ係止爪部６ｂが溝部６ａ内上面に突設されるとともに、各取付フランジ部３の前後部にはそれぞれ係止孔３ａが形成されており、溝部６ａに取付フランジ部３を挿入した際に係止爪部６ｂが係止孔３ａに係合される。
【００１５】
また、枠体５の前後両辺部、即ち取付辺部６の両端部を一体に連結する部分を弧状膨出辺部７として、ボックス本体１内に膨出するように弧状に形成されている。各弧状膨出辺部７の両端部はセルフヒンジ部７ａを介して取付辺部６の両端部に一体に連なっており、各弧状膨出辺部７は、下側に凸となってボックス本体１内に膨出する押さえ位置（図４の実線で示される位置）と、上側に凸となって蓋２の天井部に接する開放位置（二点鎖線で示される位置）との間でトグル変位される。
【００１６】
さらに、取付辺部６及び弧状膨出辺部７により囲まれた部分には、ゴム製のネット４が張られており、そのネット４の周縁部が取付辺部６及び弧状膨出辺部７に固定されている。また、各弧状膨出辺部７により形成される枠体５の前後両側面にもゴム製のネット８が張られている。
【００１７】
次に、本実施例の作用について述べる。常には、各弧状膨出辺部７は下側に凸とした押さえ位置としておく。そして、小物をボックス本体１に収容するには、蓋２を開けて小物をボックス本体１内に収容し、収容し終えれば蓋２を下方に回動して開口部１ａを閉じる。これにより、小物は、上方からネット４により押さえられる（図４中実線で示された状態）。また、小物を取り出すには、蓋２を開ければ小物からネット４が取り除かれるから、小物をボックス本体１内から取り出せばよい。
【００１８】
一方、小物がボックス本体１内に収容されていない場合、即ち小物を押さえる必要のない場合には、各弧状膨出辺部７をそれぞれ上方に押圧して上側に凸となる開放位置にトグル変位させる。すると、蓋２の天井部にネット４が接する状態となり、前方から蓋２とネット４との間に駐車券等の薄い物を挟み込むことができる（図４の二点鎖線で示された状態）。
【００１９】
このように本実施例によれば、ボックス本体１に収容された小物はネット４により上方から押さられるため、車両の振動や加速により、小物がボックス本体１内を自由に移動して異音や損傷等を招くことが防止される。さらに、ネット４を被せるには、蓋２を閉めるだけでよいから、面倒な作業を行う必要がなく大変簡単である。また、小物を押さえる必要のないときには、弧状膨出辺部７を開放位置にトグル変位させて蓋２とネット４との間に薄い物を挟むことができるから、実用価値が大となる。
【００２０】
なお、本発明は上記各実施例に限定されるものではなく、例えば次のように変形して実施することができ、これらの実施態様も本発明の技術的範囲に属する。
【００２１】
（２）  上記実施例では、枠体５はその左右両辺部が取付辺部６で前後両辺部が弧状膨出辺部７となるように構成されていたが、左右両辺部が弧状膨出辺部で前後両辺部が取付辺部となるように構成されていてもよい等、要するにネットがボックス本体内に膨出するように張られている構成であればよい。
その他、本発明は要旨を逸脱しない範囲内で種々変更して実施することができる。
【図面の簡単な説明】
【図１】本実施例の全体を示す斜視図である。
【図２】枠体を示す斜視図である。
【図３】取付辺部を示す拡大断面図である。
【図４】押さえ位置及び開放位置を示す縦断面図である。
【符号の説明】
１…ボックス本体
２…蓋
４…ネット
５…枠体
６…取付辺部
７…弧状膨出辺部
【図１】
0003558174.tif 000002
【図２】
0003558174.tif 000003
【図３】
0003558174.tif 000004
【図４】
0003558174.tif 000005